(57)【要約】【課題】記憶媒体の初期化を実行せざるを得ないため作成した画像等をあやまって消去してしまう危険性を軽減する事。【解決手段】影した画像を記憶媒体に記憶し、記憶媒体から画像を読み出して再生することが可能でかつ、記憶媒体を初期化する手段を有している画像撮像再生装置において、記憶媒体を初期化する際の確認画面において、記憶媒体に存在するデータの状態に応じて、画面に表示する内容を変えること。【選択図】　　　　図３
2004088549.tif 000002
【特許請求の範囲】
【請求項１】
撮影した画像を記憶媒体に記憶し、記憶媒体から画像を読み出して再生することが可能でかつ、記憶媒体を初期化する手段を有している画像撮像再生装置において、記憶媒体を初期化する際の確認画面において、記憶媒体に存在するデータの状態に応じて、画面に表示する内容が変わることを特徴とする画像撮像再生装置。
【請求項２】
請求項１に記載のデータの状態とは画像データのうち少なくとも１つの画像データが消去禁止の属性が付加されている状態であり、その状態に記憶媒体を初期化する確認画面を表示する際には、そうでない状態に表示される確認画面と内容が変わることを特徴とする画像撮像再生装置。
【請求項３】
請求項１に記載のデータの状態とは画像データのうち少なくとも１つの画像データに音声情報など画像とは別のデータが付加されている状態であることを特徴とする画像撮像再生装置。
【請求項４】
請求項１に記載のデータの状態とは記憶媒体にすくなくとも１つは画像撮像装置で作成したデータでないデータが存在する状態であることを特徴とする画像撮像再生装置。
【請求項５】
請求項１に記載のデータの状態とは画像データのうち少なくとも１つの画像データに印刷する為の指定情報が付加されている状態であることを特徴とする画像撮像再生装置。
【請求項６】
請求項１に記載のデータの状態とは画像データのうち少なくとも１つの画像データを送信する為の指定情報が付加されている状態であることを特徴とする画像撮像再生装置。
【請求項７】
請求項２，３，４、５，６、に記載した記憶媒体のうち、すくなくとも２つ以上の状態を区別する手段を有し、記憶媒体を初期化する際にそれぞれの状態に応じて確認画面に表示する内容が変わることを特徴とする画像撮像再生装置。
【請求項８】
撮影した画像を記憶媒体に記憶し、記憶媒体から画像を読み出して再生することが可能でかつ、記憶媒体を初期化する手段を有している画像撮像再生装置において、記憶媒体を初期化する際の確認画面において、記憶媒体に存在するデータの状態に応じて、画面に表示する内容が変わることを特徴とする画像撮像再生装置の制御方法。
【請求項９】
請求項８に記載のデータの状態とは画像データのうち少なくとも１つの画像データが消去禁止の属性が付加されている状態であり、その状態に記憶媒体を初期化する確認画面を表示する際には、そうでない状態に表示される確認画面と内容が変わることを特徴とする画像撮像再生装置の制御方法。
【請求項１０】
請求項８に記載のデータの状態とは画像データのうち少なくとも１つの画像データに音声情報など画像とは別のデータが付加されている状態であることを特徴とする画像撮像再生装置の制御方法。
【請求項１１】
請求項８に記載のデータの状態とは記憶媒体にすくなくとも１つは画像撮像装置で作成したデータでないデータが存在する状態であることを特徴とする画像撮像再生装置の制御方法。
【請求項１２】
請求項８に記載のデータの状態とは画像データのうち少なくとも１つの画像データに印刷する為の指定情報が付加されている状態であることを特徴とする画像撮像再生装置の制御方法。
【請求項１３】
請求項８に記載のデータの状態とは画像データのうち少なくとも１つの画像データを送信する為の指定情報が付加されている状態であることを特徴とする画像撮像再生装置の制御方法。
【請求項１４】
請求項８，９，１０、１１，１２、に記載した記憶媒体のうち、すくなくとも２つ以上の状態を区別する手段を有し、記憶媒体を初期化する際にそれぞれの状態に応じて確認画面に表示する内容が変わることを特徴とする画像撮像再生装置の制御方法。
【請求項１５】
請求項１〜７のいずれか１項に記載の各手段としてコンピュータを機能させるためのプログラムを格納したコンピュータ読取り可能な記憶媒体。
【請求項１６】
請求項８〜１４のいずれか１項に記載の方法の処理手順を実行させるためのプログラムを格納したコンピュータ読取り可能な記憶媒体。
【発明の詳細な説明】
【０００１】
【発明の属する技術分野】
本発明は、撮影した画像を記憶媒体に記憶し、記憶媒体から画像を読み出して再生することが可能な画像撮像装置でかつ、記憶媒体を初期化する機能を有する装置に関する。
【０００２】
【従来の技術】
従来の画像撮像再生装置においては記憶媒体を初期化する際には初期化を実行するか否かを行う確認の画面を表示し、利用者に実行するか、実行をキャンセルするかを選択させることが可能である。初期化を実行した場合には記憶媒体内全てのデータが焼失してしまうため、間違えて初期化することがないようするためには初期化を実行する前に、特登録３１０８０８３号の様な、液晶上に表示された記憶媒体の容量、使用データサイズ等を確認する必要があった。
【０００３】
【発明が解決しようとする課題】
しかしながら、上記表示ではただ単に記憶媒体で使用されているデータ領域についての表示を行うのみなので、本来画像撮像再生装置で取り扱った画像データに関する情報については分からないままに、記憶媒体の初期化を実行せざるを得ないため作成した画像等をあやまって消去してしまう危険性は残ったままである。本発明はこの危険性を軽減する事を課題とする。
【０００４】
【課題を解決するための手段】
かかる課題のもとで、本発明は、
撮影した画像を記憶媒体に記憶し、記憶媒体から画像を読み出して再生することが可能でかつ、記憶媒体を初期化する手段を有している画像撮像再生装置において、記憶媒体を初期化する際の確認画面において、記憶媒体に存在するデータの状態に応じて、画面に表示する内容が変わることを特徴とする画像撮像再生装置にある。
【０００５】
尚、データの状態とは画像データのうち少なくとも１つの画像データが消去禁止の属性が付加されている状態であり、その状態に記憶媒体を初期化する確認画面を表示する際には、そうでない状態に表示される確認画面と内容が変わる。
【０００６】
又、データの状態とは画像データのうち少なくとも１つの画像データに音声情報など画像とは別のデータが付加されている状態である。
【０００７】
又、データの状態とは記憶媒体にすくなくとも１つは画像撮像装置で作成したデータでないデータが存在する状態である。
【０００８】
又、データの状態とは画像データのうち少なくとも１つの画像データに印刷する為の指定情報が付加されている状態である。
【０００９】
又、データの状態とは画像データのうち少なくとも１つの画像データを送信する為の指定情報が付加されている状態である。
【００１０】
又、記憶媒体のうち、すくなくとも２つ以上の状態を区別する手段を有し、記憶媒体を初期化する際にそれぞれの状態に応じて確認画面に表示する内容が変わる。
【００１１】
更に、撮影した画像を記憶媒体に記憶し、記憶媒体から画像を読み出して再生することが可能でかつ、記憶媒体を初期化する手段を有している画像撮像再生装置において、記憶媒体を初期化する際の確認画面において、記憶媒体に存在するデータの状態に応じて、画面に表示する内容が変わることを特徴とする画像撮像再生装置の制御方法にある。
【００１２】
又、前述した装置、あるいは方法の処理手順を実行させるためのプログラムを格納したコンピュータ読取り可能な記憶媒体にある。
【００１３】
【発明の実施の形態】
（第１の実施例）
以下、図面を参照して本発明の実施例を説明する。図１は、本発明の実施例の構成を示す図である。
【００１４】
図１において、１００は画像処理装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１５】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１６】
２０は画像処理回路であり、Ａ／Ｄ変換器１６からのデータ或いはメモリ制御回路２２からのデータに対して所定の画素補間処理や色変換処理を行う。また２０の画像処理回路によって画像の切り出し、拡大処理を行うことで電子ズーム機能が実現される。
【００１７】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１８】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２０】
２４は画像表示メモリ、２６はＤ／Ａ変換器、２８はＴＦＴ　ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。
【００２１】
３０は撮影した画像を格納するためのメモリであり、所定枚数の画像を格納するのに十分な記憶量を備えている。これにより、複数枚の静止画像を連続して撮影する連射撮影の場合にも、高速かつ大量の画像書込みをメモリ３０に対して行うことが可能となる。
【００２２】
また、メモリ３０はシステム制御回路５０の作業領域としても使用することが可能である。
【００２３】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む、これらのデータは後述の記憶媒体に画像データを取り込んだ際の情報、例えば撮影日時、連写、パノラマ撮影をした等の情報とともに、格納される。
【００２４】
４０は絞り機能を備えるシャッター１２を制御する露光制御手段であり、フラッシュ４８と連携することによりフラッシュ調光機能も有するものである。
【００２５】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２６】
４８はフラッシュであり、ＡＦ補助光の投光機能、フラッシュ調光機能も有する。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２７】
５０は画像処理装置１００全体を制御するシステム制御回路、５２はシステム制御回路５０の動作用の定数、変数、プログラム等を記憶するメモリである。
【００２８】
５４はシステム制御回路５０でのプログラムの実行に応じて、文字、画像、音声等を用いて動作状態やメッセージ等を表示する液晶表示装置、スピーカー等の表示部であり例えばＬＣＤやＬＥＤ、発音素子等の組み合わせにより構成されている。
【００２９】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００３０】
５６は電気的に消去・記録可能な不揮発性メモリであり、例えばＥＥＰＲＯＭ等が用いられる。
【００３１】
６０は電源スイッチ、７０は、システム制御回路５０の各種の動作指示を入力するための操作手段であり、７２はモードダイアルスイッチで自動撮影モード、撮影モード、再生モード等、の各機能モードを切り替え設定することが出来る。
【００３２】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３３】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３４】
７０は各種ボタン等からなる操作部で、メニューボタン、セットボタン、マクロボタン、マルチ画面再生改ページボタン、メニュー移動や画像選択に用いる十字ボタン、露出補正ボタン等である。なお、本実施例では特に、上記スイッチ、操作部による入力検出を行い、５０のシステム制御部によってスイッチ操作の判断がおこなわれ、釦類の操作に対してアクションが行われる。
【００３５】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３６】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３７】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。インターフェース及びコネクタとしては、ＰＣＭＣＩＡカードやＣＦ（コンパクトフラッシュ（Ｒ））カード等の規格に準拠したものを用いて構成して構わない。
【００３８】
１０２は、画像処理装置１００のレンズ１０を含む撮像部を覆う事により、撮像部の汚れや破損を防止するバリアである保護手段である。
【００３９】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。２００はメモリカードやハードディスク等の記録媒体である。
【００４０】
記録媒体２００は、半導体メモリや磁気ディスク等から構成される記録部２０２、画像処理装置１００とのインターフェース２０４、画像処理装置１００と接続を行うコネクタ２０６を備えている。
【００４１】
２１０はメモリカードやハードディスク等の記録媒体である。記録媒体２１０は、半導体メモリや磁気ディスク等から構成される記録部２１２、画像処理装置１００とのインターフェース２１４、画像処理装置１００と接続を行うコネクタ２１６を備えている。
【００４２】
図２は本画像撮像再生装置を適用した電子カメラの平面図である。２−５は操作部７０にある電源スイッチであり、２−７は７２モードダイアルスイッチで、自動撮影モード、プログラム露出撮影モード、マニュアル露出撮影モード、再生モード等、の各機能モードを切り替え設定することが出来る。例えばダイアル２−７で再生モードを選択するポジションを選び２−５の６０電源スイッチを押すことにより、カメラを再生モードで起動することが可能である。またマニュアル撮影モードを選択するポジションを選択し、２−５の電源スイッチを押すことによりカメラをマニュアル撮影モードで起動することが可能である。またカメラが起動した後には２−７のモードダイアルスイッチで動作モードを選択することが可能である。カメラの撮影画像は図１２８に相当する画像表示部２−６に表示されるが、これは通常ＬＣＤ（液晶ディスプレイ）を使用しているので、以下ＬＣＤと称する。
【００４３】
操作部７０の操作ボタンに対応するものとして２−１セットボタン、２−２ドライブ・左ボタン、２−３マクロ・遠景／右ボタン、２−４メニューボタン、２−１２の露出補正、ホワイトバランス、色効果設定ボタン２−９，２−１０ズームボタン／マルチ・拡大、２−１１液晶表示切替ボタンがある。２−５は６０電源スイッチである。また２８は６２，６４シャッターボタンである。
【００４４】
ここで２−３，２−５の様にふたつの名前がひとつのボタンに割り当てられているものは撮影した画像が液晶に表示されているような場合には後者の機能、そうでない場合は前者の機能が有効になるようにしている。
【００４５】
本発明で主体となる、記憶媒体の初期化を行う動作は電子カメラを起動した後、２４のメニューボタンを押下することにより、メニューを液晶に表示した後、２２，２３の左右ボタンにてメインメニュー上に存在する設定の項目（非図示）を選択し、２１のセットボタンを押下すると設定メニュー（非図示）が表示される。設定メニュー内で「ＣＦの初期化」項目を左右ボタンにて選択し、セットボタンを押下すると図３に示される初期化の確認画面が表示される。
【００４６】
図３の例では、（Ｂ）が記憶媒体に存在する画像に特別な付帯情報、プロテクトが添付されていない状態での表示であり、図３（Ａ）は記憶媒体に存在する画像でプロテクトされている画像、音データが添付されている画像データ、プリントの指定がされている画像データがそれぞれ、５画像、５５画像、３画像存在している事を示す。この例の様に初期化の確認画面表示を切り替える事で、本発明の目的を達成する事が出来る。
【００４７】
次に図４〜図７を用いて図３の表示を実現する為の処理について説明する。
【００４８】
図４は記憶媒体上に記憶されている画像データの構成の例つまり、表示対象として認識すべきディレクトリ構成および、その命名規則、およびディレクトリ内部に存在するファイル構成、およびその命名規則を示すものである。
【００４９】
図４に於いて、電子カメラが作成しうるデータの種類として以下のものが存在する。また以下の記述に於いて＿ｎｎｎｎのｎｎｎｎは０００１から９９９９の４桁の数字で示す事ができる値である。以下この４桁の数字で示される番号はファイル番号を示している。同一のファイル番号を有するファイル群を画像オブジェクトと称する。
１．ＩＭＧ＿ｎｎｎｎ．ＪＰＧ　　ＪＰＥＧ形式の画像データ
２．ＣＲＷ＿ｎｎｎｎ．ＣＲＷ　　ＪＰＥＧとは異なる形式の画像データ（データ形式に関しては本発明の実施には影響がないので特に言及しない）本電子カメラに於いては．ＣＲＷを作成する場合には同一ファイル番号を持つ．ＴＨＭファイルをともなって生成する。
３．ＩＭＧ＿ｎｎｎｎ．ＴＨＭ　　サムネールファイル。内部データ形式はＪＰＥＧ形式であり、．ＣＲＷなどＪＰＥＧ形式でない画像ファイルを作成する場合に作成する。
４．ＩＭＧ＿ｎｎｎｎ．ＷＡＶ　　音データファイル。本実施例ではＷＡＶＥ形式のデータファイルで拡張子は．ＷＡＶというファイル名称で取り扱う。また、図１では音声データの入力、再生を行う為の手段は搭載されていないが、記憶媒体が着脱可能であり、例えばＰＣ等で同形式のデータを作成し画像オブジェクトに添付する事が可能である。
５．ＡＵＴＰＲＩＮＴ．ＭＲＫ　　プリント指定ファイル。当該ファイル中にはプリントを指定したい画像および、プリント種別等の情報が格納される。
【００５０】
本実施例では上記５種類のデータファイルを図４に示すようなディレクトリ構成で取り扱う。まず記憶媒体のルートディレクトリにＤＣＩＭというディレクトリが存在し、その中にはＮＮＮｃａｎｏｎという形式の名称をもったディレクトリが配置される。ここにおいてＮＮＮは１００〜９９９の３桁の数字を示す。そして、それぞれのＮＮＮｃａｎｏｎディレクトリ内部には上記１〜４の形式のデータファイルが配置される。４−１がＴＨＭファイルをともなう、ＣＲＷ形式のファイルを持つ画像オブジェクトであり、４−３はＷＡＶファイルを伴うＪＰＧ形式の画像オブジェクトである。もちろん、４−１の画像オブジェクトにＷＡＶファイルをさらに追加して扱う事が可能である。また、４−２は上記の５つのデータ種類にはないが、同一のファイル番号を持っているデータが画像オブジェクト内に存在するデータの組み合わせの例であるが、ＴＸＴなどの様に知らない拡張子を持つファイルは本実施例に於いては存在が利用者には公開されないものとする。また、本実施例に於いては画像オブジェクト内に以下の組み合わせのデータが存在する場合もやはり、その画像オブジェクトは利用者に公開されないものとして扱う。
・同一ファイル番号を持つ．ＪＰＧ、　ＴＨＭが存在する場合
・同一ファイル番号を持つ．ＪＰＧ、　ＣＲＷが存在する場合
・同一ファイル番号を持つ．ＪＰＧ、　　が複数存在する場合
また画像オブジェクトを構成するファイルのうち一つにでも書き込み禁止の属性が付加されている場合はその画像オブジェクトは保護されている画像オブジェクトとして扱う。
【００５１】
次に図６、７を用いて本実施例を実現する為の処理について説明する。
【００５２】
図６はシステム起動時に記憶媒体に記憶されている画像オブジェクトのリストを作成する処理について記述しており、まず、Ｓ６−１でＤＣＩＭディレクトリ内に存在するディレクトリの名称を取得する。次にＳ６−２においてＮＮＮｃａｎｏｎという形式の名称を持っているかどうかを判別し、名称が合致した場合はＳ６−３においてディレクトリリスト（非図示）に登録する。ディレクトリリストにはディレクトリ番号が格納されており、後に、このリストを参照する事で何番のディレクトリが表示対象として存在しているかを判別する事が可能である。
【００５３】
Ｓ６−２において、名称が合致しない場合はＳ６−３の処理は飛ばされる。次にＳ６−４において、ＤＣＩＭディレクトリ内にさらにディレクトリが存在するかを判別し、まだ存在する場合にはＳ６−１〜Ｓ６−３の処理を繰り返し実行する。ディレクトリが存在しない場合はＳ６−５の処理に移行する。
【００５４】
Ｓ６−５〜Ｓ６−１０ではＳ６−１〜Ｓ６−４の処理で作成されたディレクトリリストを基に、存在するディレクトリ内のファイルを検索し、必要な情報を作成する過程となる。まず、Ｓ６−５ではディレクトリリストからディレクトリ番号を取り出し、ディレクトリ名称を作成する。ディレクトリ名称はＮＮＮｃａｎｏｎの名称に統一されているのでディレクトリ番号から作成する事が可能である。次にＳ６−６でディレクトリ内に存在するファイルを検索し、ディレクトリ内の画像総数、保護画像総数、音声データ数のカウントを行う。Ｓ６−６内部の処理については図７を用いて後述する。
【００５５】
Ｓ６−６においてディレクトリ内部の情報が取得できたらＳ６−７で今までに取得された画像数に今回の処理で取得できた画像数を追加し総画像数を計算する。Ｓ６−８、Ｓ６−９でも同様にＳ６−６で取得したディレクトリ内の保護画像数、音声データ数の加算を行い総データ数を計算する。Ｓ６−１０に於いてディレクトリリストで全てのディレクトリを検索したかをチェックし、まだ検索していないディレクトリが存在すればＳ６−５にもどり、Ｓ６−６〜Ｓ６−９の処理を繰り返す。
【００５６】
以上の処理を行う事で、記憶媒体内に存在する、総画像数、総保護画像数、総音データ数を算出する事が可能である。
【００５７】
図７に示されるディレクトリ内のデータ検索処理に於いては図５に示した画像オブジェクトリストを用いてディレクトリ内のファイル構成のデータを作成する。画像オブジェクトリストは図５に示すように
・５−８　主画像リスト　　ＪＰＧもしくはＣＲＷ
・５−９　エラーリスト　　命名規則は合致するがファイルの組み合わせ等が上述の規則に反している
・５−１０　音データリスト　ＷＡＶデータ
・５−１１　保護データリスト　保護されている画像オブジェクトか否か
・５−１２　ＴＨＭ　データリスト　ＴＨＭ　データ
・５−１３　未知データリスト　未知データ
のリストを持っており、それぞれ１〜９９９９の番号に対して条件が合致するデータが存在することを記憶する事が可能である。本実施例においては５−８主画像リストの場合のみデータがＪＰＧの場合は１データがＣＲＷの場合は２が記録されるようにしている。
【００５８】
次に図７を用いてＳ６−６の詳細、つまり、ＮＮＮｃａｎｏｎディレクトリ内部に存在するファイルをスキャンし、画像数、保護画像数、総音データ数を算出する方法について説明する。ディレクトリ内をスキャンする処理に於いてはＳ７−１でファイル名を取得し、Ｓ７−２０で全てのファイル名を検索し終わったかを判断し、全てファイルを検索するまではＳ７−２〜Ｓ７−２０の処理を繰り返し行う。Ｓ７−２ではファイル名の命名規則が上述の規則にのっとっているかどうかを判別し、のっとっていない場合はＳ７−２０に飛び検索を続行する。
【００５９】
Ｓ７−３で検索されたファイルがＪＰＧデータであると判断された場合Ｓ７−４で主画像データリストの対応するファイル番号部分を参照し、既に同一番号のＪＰＧデータもしくはＣＲＷが存在し、対応するファイル番号のデータが０でない場合はＳ７−１５の処理に移行しエラーリストに登録し次のファイルの検索に行く。Ｓ７−４で該当するリストがまだ０の場合Ｓ７−５で同一番号のＴＨＭリストをチェックする。ここでＴＨＭデータが存在していた場合やはりＳ７−１５でエラーリストに登録し、次の検索に行く。Ｓ７−５でＴＨＭデータが存在していない場合はＳ７−６に移行し主画像データリストの対応するファイル番号の部分に１を登録する。
【００６０】
Ｓ７−７では検索されたファイルがＣＲＷデータであるかどうかの判断を行う。ここでＣＲＷと判断された場合Ｓ７−８で該当する主画像リストをチェックし、すでにデータが登録されている場合はＳ７−１５でエラーリストに登録し、次の検索に行く。該当リストが０でない場合はＳ７−９で主画像リストの対応するファイル番号部分に２をセットし次の検索に移行する。
【００６１】
Ｓ７−７でＣＲＷでないと判断した場合はＳ７−１０でＴＨＭデータであるかどうかの判断を行う。ＴＨＭと判断された場合はＳ７−１１で主画像リストをチェックし同一番号の主画像が１で登録されている場合つまり、ＪＰＧの場合はＳ７−１２でエラーリストに登録する。主画像データリストのデータが２、もしくは０の場合はＳ７−１２の処理は飛ばされる。次にＳ７−１３の処理でＴＨＭデータリストの該当するファイル番号部分に１を登録する。
【００６２】
Ｓ７−１０でＴＨＭでないと判断された場合はＳ７−１４に移行し音データであるかどうかを判別する。ここで音データと判別された場合はＳ７−１６で音データリスト、音データでないと判断された場合はＳ７−１７で未知データリストの該当するファイル番号部分に１を登録する。
【００６３】
次にデータファイルに書込み禁止属性が付加されているかどうかをＳ７−１８でチェックし、書込み禁止属性が付加されていた場合Ｓ７−１９にてファイル番号に対応する保護データリストに１をセットする。
【００６４】
以上の処理を行った後Ｓ７−２０でさらに検索すべきファイルが存在するかどうかをチェックし、ファイルが存在する場合はＳ７−１からの処理を繰り返す。Ｓ７−２０で全てのファイルを検索したと判断できた場合には、Ｓ７−２１で作成された画像オブジェクトリストから主画像データリストで０でないものかつエラーリストに登録されていないデータの数をディレクトリ内の画像数、また上記条件に合致する画像オブジェクトで、音データリストで１が立っているデータの数をディレクトリ内の音データ数、保護データリストで１がたっているデータの数をディレクトリ内の保護データ数として計算しディレクトリ内のファイルに関する情報の作成を行う。
【００６５】
また、￥ＤＣＩＭ￥ＭＩＳＣディレクトリ内部にＡＵＴＰＲＩＮＴ．ＭＲＫファイルが存在すれば、ファイルを解析し、ファイル内で指定されている画像のうち、上記画像オブジェクトリストに登録されている画像数を算出する事でプリント指定画像総数の算出をする事が可能である。
【００６６】
上記処理により記憶媒体内の総画像数、総音データ数、総保護画像数、プリント指定画像総数を算出することが可能であり、算出された画像数等に応じて初期化の確認のダイアログを表示する際に図３（Ａ）、図３（Ｂ）いずれの表示を行うかを切り替える事が可能である。
【００６７】
（その他の実施例１）
上記実施例においては総画像数、総音データ数、総保護画像数、プリント指定画像総数の有無に関して記憶媒体の初期化時に確認ダイアログの表示を切り替えるものとして説明したが、図７の処理において算出された未知データの数を加える事も可能である。
【００６８】
【発明の効果】
以上の説明から明らかなように利用者が記憶媒体の初期化を実行する際に、画像撮像装置で作成した画像データに関する情報をより詳しく知ることが可能になるため誤消去の可能性を低くするという本発明の課題を解決する事が可能である事が明らかである。
【図面の簡単な説明】
【図１】本発明の一実施例の構成ブロック図である。
【図２】本発明の一実施例の操作部分の外観図。
【図３】本発明の一実施例の表示状態。
【図４】本発明の一実施例のファイル構成例。
【図５】本発明の一実施例でもちいるデータ構造図。
【図６】本発明の一実施例での処理の流れ図。
【図７】本発明の一実施例での処理の流れ図。
【図１】
2004088549.tif 000003
【図２】
2004088549.tif 000004
【図３】
2004088549.tif 000005
【図４】
2004088549.tif 000006
【図５】
2004088549.tif 000007
【図６】
2004088549.tif 000008
【図７】
2004088549.tif 000009